(57)【要約】【課題】ピアスピンへのピアスキャッチの取付けを容易にする。【解決手段】ピアスキャッチ１を片手で保持する動作を補助するためのピアス装着補助具１００であって、ピアスキャッチ１を保持するための凹部２１を有するヘッド２０と、ヘッド２０に接続され、凹部２１の開口２３よりも凹部２１の底部側において補助具１００を把持するための把持部５０を提供する本体１０と、を備え、凹部２１の開口２３から凹部２１の底部側へとピアスキャッチ１が押し込まれたときに凹部２１の側面の少なくとも一部が弾性変形してピアスキャッチ１を押圧して保持するように、ヘッド２０が樹脂により構成されている、ピアス装着補助具１００、を提供する。ピアス装着補助具１００によれば、ピアスキャッチ１を手指で摘む等の細やかな作業が不要になるため、ピアスピンへのピアスキャッチ１の取付けをより容易に実施できる。【選択図】図１
2010184111.tif 000002
【特許請求の範囲】
【請求項１】
ピアスキャッチおよびピアスピンから構成されるピアスを身体に装着するために前記ピアスキャッチを片手で保持する動作を補助するためのピアス装着補助具であって、
前記ピアスキャッチを保持するための凹部を有するヘッドと、
前記ヘッドに接続され、前記凹部の開口よりも前記凹部の底部側において前記補助具を把持するための把持部を提供する本体と、を備え、
前記凹部の開口から前記凹部の底部側へと前記ピアスキャッチが押し込まれたときに前記凹部の側面の少なくとも一部が弾性変形して前記ピアスキャッチを押圧して保持するように、前記ヘッドが樹脂により構成されている、ピアス装着補助具。
【請求項２】
前記本体が、前記ヘッドとの接続部から前記凹部の開口から見て前記凹部の底部側の方向へと延びる棒状体である、請求項１に記載のピアス装着補助具。
【請求項３】
前記本体が前記ヘッドの昇降機構を備え、前記昇降機構により、前記ヘッドが前記本体内に収容された収容状態から前記ヘッドが前記本体から露出した使用状態への移行と、前記使用状態から前記収容状態への移行とが可能とされている、請求項１または２に記載のピアス装着補助具。
【請求項４】
前記ヘッドが前記凹部の側面に一対の凸部を有し、
前記ピアスキャッチが押し込まれたときに前記一対の凸部が前記ピアスキャッチを挟持した状態で前記凹部の側面が前記ピアスキャッチを押圧して保持するように、前記一対の凸部が形成されている、請求項１〜３のいずれか１項に記載のピアス装着補助具。
【請求項５】
前記ヘッドが前記本体に着脱自在に接続されている、請求項１〜４のいずれか１項に記載のピアス装着補助具。
【請求項６】
前記ヘッドが前記凹部の底部に後退部または貫通孔を有し、
前記凹部に前記ピアスキャッチが押し込まれて保持され、さらに当該ピアスキャッチの孔に前記ピアスピンが差し込まれたときに、前記ピアスピンの先端が前記凹部の底部を構成する樹脂に接しないように、前記後退部または貫通孔が形成されている、請求項１〜５のいずれか１項に記載のピアス装着補助具。
【発明の詳細な説明】
【技術分野】
【０００１】
本発明は、ピアスを身体に装着するために用いる補助具に関する。
【背景技術】
【０００２】
ネイルチップと呼ばれる装飾的な長い付け爪を自爪の表面に貼付けて手指先を美装するファッションがある。ネイルチップが装着された手指では、長い付け爪が邪魔になり、ピアスを身体に装着するための細やかな作業を行いにくい。
【０００３】
ピアスは、ピアスピンと呼ばれる針と、ピアスキャッチと呼ばれる留め具とから構成される。ピアスピンを使用者の身体の一部（例えば、耳たぶ）に貫通させて、当該針の先端をピアスキャッチの孔に差し込むことによって、ピアスは使用者の体の一部に装着される。図２６は、ピアスキャッチの構造を説明するための斜視図である。図２６に示すように、ピアスキャッチ１には、孔３と、２つの環状の突起４とが形成されている。孔３にはピアスピン２が挿入される。環状の突起４は、金属の弾性力を利用してピアスピン２を挟んで固定する。また、突起４によって、使用者が指先でピアスキャッチ１を摘みやすくなる。すなわち、使用者がピアスピン２を孔３に挿入すると、ピアスピン２が当該突起４の間に挟み込まれて、固定される。
【０００４】
使用者は、ピアスキャッチ１を指先で摘んでピアスピン２の先端に取り付ける。しかし、ピアスキャッチ１は手指に比べて非常に小さな部品なので、突起４が形成されてはいるものの手指で摘むことはやはり難しい。ネイルチップを装着した手指でピアスキャッチ１を摘むことは特に難しい。指先が不器用な人や指先を怪我した人にとっても、ピアスキャッチ１を摘むことは難しい。
【０００５】
装身具の装着を補助する補助具が知られている（特許文献１〜２）。特許文献１は、ネックレス等の留め金を開口させる突起を挟んで移動させることによって、留め金の開口操作を補助する洗濯バサミ状の補助具を開示する。特許文献２は、ピアスキャッチ１の突起４が形成する２つの穴５に先端を挿入し、当該先端が弾性力によって外側に開く作用を利用してピアスキャッチを保持するピンセット状の補助具を開示する。なお、ピアスを身体に装着するための穴を空けるときに用いるピアッサーと呼ばれる器具が知られている（特許文献３）しかし、ピアッサーは、それ自体が有する針を耳たぶなどに貫通させる器具であって、ピアスピンとピアスキャッチとから構成されるピアスを装着するための補助具ではない。
【先行技術文献】
【特許文献】
【０００６】
【特許文献１】実用新案登録第３１１３０６３号公報
【特許文献２】実用新案登録第３０８４８７７号公報
【特許文献３】特開平９−２３８７１８号公報
【発明の概要】
【発明が解決しようとする課題】
【０００７】
特許文献１および２に開示されているような従来型の補助具を用いても、使用者は指先で当該補助具の先端を操作し、装飾品の留め具を摘む等の細やかな作業をする必要がある。しかし、ネイルチップを装着した手指等でこうした従来型の補助具を操作し、ピアスピンにピアスキャッチを取り付けることはやはり容易ではない。
【０００８】
本発明の目的は、ピアスピンへのピアスキャッチの取付けをより容易に実施できるピアス装着補助具の提供にある。
【課題を解決するための手段】
【０００９】
本発明は、ピアスキャッチおよびピアスピンから構成されるピアスを身体に装着するために前記ピアスキャッチを片手で保持する動作を補助するためのピアス装着補助具であって、前記ピアスキャッチを保持するための凹部を有するヘッドと、前記ヘッドに接続され、前記凹部の開口よりも前記凹部の底部側において前記補助具を把持するための把持部を提供する本体と、を備え、前記凹部の開口から前記凹部の底部側へと前記ピアスキャッチが押し込まれたときに前記凹部の側面の少なくとも一部が弾性変形して前記ピアスキャッチを押圧して保持するように、前記ヘッドが樹脂により構成されている、ピアス装着補助具を提供する。
【発明の効果】
【００１０】
本発明におけるピアス装着補助具は、ピアスキャッチを外部から押し込んで保持するための凹部を有し、樹脂の弾性力を利用してピアスキャッチを凹部に保持させる。これにより、ピアスキャッチを凹部に押し込むという単純な作業で、補助具にピアスキャッチを保持させることができる。本発明の補助具を用いると、従来型の補助具を用いる際のように、補助具の先端を操作してピアスキャッチを摘む等の細やかな作業が不要となり、ピアスピンへのピアスキャッチの取付けをより容易に実施できる。
【図面の簡単な説明】
【００１１】
【図１】本発明のピアス装着補助具にピアスキャッチを当該補助具に保持させた状態を説明するための断面図
【図２】ピアス装着補助具のヘッドを説明するための斜視図
【図３】ピアス装着補助具が本体に接続される様子を説明するための断面図
【図４】ピアス装着補助具のヘッドの昇降機構を説明するための側面図
【図５】ピアス装着補助具の使用状態を説明するための断面図
【図６】ピアス装着補助具を用いたピアスの装着方法を説明するための断面図
【図７】ピアス装着補助具の凹部が採り得る一実施形態を説明するための上面図
【図８】ピアス装着補助具の凹部が採り得る別例の実施形態を説明するための上面図
【図９】ピアス装着補助具の凹部が採り得るまた別例の実施形態を説明するための上面図
【図１０】ピアス装着補助具の凹部が採り得るまた別例の実施形態を説明するための上面図
【図１１】ピアス装着補助具の凹部が採り得るまた別例の実施形態を説明するための上面図
【図１２】ピアス装着補助具の凹部が採り得るまた別例の実施形態を説明するための上面図
【図１３】ピアス装着補助具の凹部が採り得るまた別例の実施形態を説明するための上面図
【図１４】本発明のピアス装着補助具の別例の断面図
【図１５】本発明のピアス装着補助具のまた別例の断面図
【図１６】図１５に示すピアス装着補助具での押出部材の動作を説明するための図
【図１７】本発明のピアス装着補助具のまた別例の断面図
【図１８】本発明のピアス装着補助具のまた別例の断面図
【図１９】本発明のピアス装着補助具のまた別例の断面図
【図２０】本発明のピアス装着補助具のまた別例の断面図
【図２１】本発明のピアス装着補助具のまた別例の断面図
【図２２】本発明のピアス装着補助具のまた別例の断面図
【図２３】本発明のピアス装着補助具のまた別例の断面図
【図２４】本発明のピアス装着補助具のまた別例の断面図
【図２５】本発明のピアス装着補助具のまた別例の断面図
【図２６】ピアスキャッチの構造を説明するための斜視図
【図２７】ピアスキャッチの構造を説明するための斜視図
【発明を実施するための形態】
【００１２】
図１Ａは本発明のピアス装着補助具の一例の断面図であり、図１Ｂはピアス装着補助具にピアスキャッチを保持した状態を説明するための断面図である。
【００１３】
図１のとおり、ピアス装着補助具１００は、棒状の本体１０と、ヘッド２０とを有している。ヘッド２０は、本体１０の先端に接続されている。ヘッド２０には、本体１０との接続面と反対側の面に凹部２１が形成されており、凹部２１は、本体１０と反対側に向かって開口している。詳細は後述するが、ピアス装着補助具１００は、凹部２１によってピアスキャッチを保持する。本体１０は、使用者が、補助具１００を操作する際に補助具１００を把持する把持部５０を提供する。本実施形態では、本体１０はヘッド２０との接続部から図示下方（凹部２１の開口２３から見て凹部２１の底部側の方向）へと延びる棒状体、具体的には円柱である。この形態において、把持部５０は棒状体である本体１０の側面である。このように、本体１０は、凹部２１の開口２３側を上方としたときに下方側において把持部５０を提供する。ただし、把持部５０の位置はヘッド２０の直下に限らず、凹部２１の開口２３よりも底部２５側であればよい。
【００１４】
図２に示すように、ヘッド２０の側面には、環状の凸部２０ａが形成されている。凸部２０ａが形成された部分におけるヘッドの外径は、中空となった本体１０の先端の内径よりも若干大きく設定されている。したがって、図３に示すように、本体１０の先端にヘッド２０の環状の凸部２０ａが挿入されると、環状の凸部２０ａには環の中心から円周に向かう弾性力が働き、本体１０の先端を内面から押圧する。同時に、本体１０の先端とヘッド２０の環状の凸部２０ａとの間には接触面の接線に平行な方向に摩擦力が生じる。このような態様によって、ヘッド２０は本体１０の先端に、着脱自在に保持される。図示したように、ヘッド２０の側面には、複数の凸部２０ａを形成してもよい。なお、ヘッド２０と本体１０の先端とをそれぞれ雄ネジ加工および雌ネジ加工することでも、ヘッド２０を本体１０に着脱自在に接続できる。ただし、接着材などを用いて、ヘッド２０を本体１０に固定しても構わない。
【００１５】
図４のように、本体１０はヘッド２０を昇降させる機構を備えてもよい。昇降機能を備えていると、ヘッド２０が本体１０内に収容された収容状態からヘッド２０が本体１０から露出した使用状態への移行と、使用状態から収容状態への移行とが可能となる。ピアス装着補助具１００を使用しないときは、収容状態にできるので、ヘッド２０の損傷を防ぎ、ヘッド２０を衛生的に保つことができる。さらに図４Ｃのように、収容状態においては上からキャップ１０ａをかぶせることで、さらにヘッド２０を衛生的に保つことができる。本体１０の昇降機構は、口紅などに用いられている汎用の機構を用いればよい。
【００１６】
再び図１を参照しながらヘッド２０の説明を続ける。ヘッド２０は、全体が軟質の樹脂で構成されている。凹部２１の側面２２には、凹部２１の開口２３付近において凹部２１の中心に向けて突出する一対の凸部（突出部）２４が形成されている。一対の凸部２４は対向する側面２２にそれぞれ形成されている。凹部２１の底部２５には、後退部２６（窪み）が形成されている。詳しくは後述するが、後退部２６は、ピアスピン２へのピアスキャッチ１の取付け時に、ピアスピン２の先端が凹部２１の底部２５に突き刺さることを回避するために形成されている。なお、ピアスピン２の先端が凹部２１の底部２５に突き刺さることを回避するために、後退部２６を形成する代わりに、貫通孔を形成してもよい。
【００１７】
ピアス装着補助具１００は、図１に示すように、対向する一対の凸部２４の間隔Ｗ1が、凹部２１に保持させる予定のピアスキャッチ１の突起４の幅Ｗ2よりも若干狭いものを使用する。外部から凹部２１にピアスキャッチ１が押し込まれると、図１Ｂに示すように、ピアスキャッチ１が一対の凸部２４によって挟まれ、凹部２１に保持される。より具体的には、ピアスキャッチ１が凹部２１の開口２３から内方へと押し込まれると、一対の凸部２４の間隔がＷ1からＷ2へと広がるようにヘッド２０が弾性変形する。弾性変形した一対の凸部２４は、一対の凸部２４が向かい合う方向にピアスキャッチ１を押圧する。押圧によって、弾性変形した一対の凸部２４とピアスキャッチ１との間には、押圧方向と垂直な方向に摩擦力が生じる。すなわち、ピアスキャッチ１が一対の凸部２４の間に挟持されて凹部２１に保持される。向かい合う一対の凸部２４の間隔Ｗ1は、１ｍｍ以上５ｍｍ以下、特に１ｍｍ以上３ｍｍ以下が好ましい。
【００１８】
凹部２１へのピアスキャッチ１の押し込み方を図５によって説明する。図５はピアス装着補助具の使用状態を説明するための断面図である。まず、図５Ａに示すように、使用者の身体（例えば耳たぶ）に接触する盤面６が図５Ａにおいて下を向き、突起４が上を向くようにピアスキャッチ１を机７に置く。その後、図５Ｂに示すように、ピアスキャッチ１のヘッド２０が図示下方（本体１０から見て机７の方向）になるようにする。このとき、ヘッド２０は図示上方（机７から見て本体１０の方向）とする。次いで、机面に平行な面におけるヘッド２０の位置がピアスキャッチ１と同じ位置になるように、ピアス装着補助具１００を移動させる。このように、ピアスキャッチ１の突起４が凹部２１に収容されるようにヘッド２０の机面に平行な面における位置を合わせた状態で、ピアス装着補助具１００を図示下方（本体１０から見て机７の方向）に移動させ、ヘッド２０を当該机面に押しつける。ピアス装着補助具１００によれば、こうした単純な動作によってピアスキャッチ１をヘッド２０の凹部２１に保持させることができる。したがって、従来型の補助具では必須であった、手指を用いて行う当該保持のための細やかな作業が不要になる。
【００１９】
ピアス装着補助具１００を用いたピアス３１の装着方法について、図６Ａ〜図６Ｃを参照しながらさらに説明する。まず、図６Ａに示すように、耳たぶ８ａの表側（図６Ａの右側）８ｂにピアスの飾り部９が配置され、耳たぶ８ａの裏側（図６Ａの左側）８ｃからピアスピン２の先端が突出するように、耳たぶ８ａに形成された孔３０にピアスピン２を貫通させる。続いて、上記のようにしてピアス装着補助具１００の凹部２１にピアスキャッチ１を保持させる。次に、一方の手でピアス３１の飾り部９を押さえつつ、もう一方の手で筆を握る要領でピアス装着補助具１００の本体１０を持ち、図６Ｂに示すように、ピアスピン２をピアスキャッチ１の孔３に挿入させる。そして、ピアスキャッチ１の突起４の間にピアスピン２が挟み込まれるように、ピアスピン２の伸長方向に沿ってヘッド２０を耳たぶの裏側８ｃに接近させる。最終的には、図６Ｃのように、ピアスピン２の先端はピアスキャッチ１の孔３に差し込まれ、ピアスピン２の先端においてピアスキャッチ１は固定される。なお、ピアス装着補助具１００では、図１Ａに示すように、凹部２１の底部２５に後退部２６が形成されている。これにより、ピアスピン２の先端がピアスキャッチ１の突起４よりもかなり突出した状態で固定される場合であっても、突出箇所を後退部２６内に受け入れることができ、底部２５にピアスピン２の先端が突き刺さるという不具合を回避し易い。続いて、ヘッド２０を耳たぶの裏側８ｃから引き離す。一対の凸部２４の間隔（図１Ａにおける間隔Ｗ1）は、ピアスキャッチ１の突起４の幅（図１Ｂにおける幅Ｗ2）よりも若干狭い程度のものを使用しているので、ピアスキャッチ１の突起４がピアスピン２を挟み込む力よりも、凹部２１の一対の凸部２４が押圧によってピアスキャッチ１を凹部２１内に保持しようとする力が小さい。このため、ヘッド２０をピアスピン２の伸長方向に沿って耳たぶの裏側８ｃから引き離すと、ピアスキャッチ１はピアスピン２の先端に固定され凹部２１から脱離する。以上のようにして、ピアス装着補助具１００を用い、耳たぶ８ａにピアス３１を装着できる。
【００２０】
ヘッド２０は種々の形態を採り得る。例えば図７はヘッド２０の一実施形態である。ヘッド２０には一の字型の溝があるので、地金キャッチに例示される図２６の形状のような突起４を容易に挟持することができる。また、形状が単純なので大量生産に適している。
【００２１】
図８はヘッドの別の実施形態である。ヘッド１２５は、溝が十字型になっているため、縦、横どちらの溝によってもピアスキャッチ１を保持することができるため便利である。また、縦と横の溝の間隔を変えることで、少なくとも二種類の大きさの突起４を挟持することができる。
【００２２】
図９はヘッドの別の実施形態である。ヘッド１２６は、三種類の角度からピアスキャッチを保持することができる。また、溝の間隔を変えることで、少なくとも三種類の大きさの突起４を挟持することができる。同様に考えて、溝の数をさらに増やすこともできる。
【００２３】
図１０は、ヘッドの別の実施形態である。図１０Ａはヘッド１２７の上面図、図１０Ｂはヘッド１２７と本体１０の断面図、図１０Ｃはピアスキャッチ１を保持しているヘッド１２７の斜視図である。ヘッド１２７の凹部の開口は、開口上方から見て（平面視で）円形である。図７〜図９のヘッドを用いた場合、図２７のような半球形（ドーム状）の突起４を保持することは難しいが、ヘッド１２７を用いれば図２７のような突起４を備えたピアスキャッチ１を容易に保持できる。
【００２４】
図１１は、ヘッドの別の実施形態である。この形態は図７の形態と図１０の形態の特徴を併せ持つ。すなわち、ヘッド１２８は、図２６のような形状の突起４と図２７のような半球形の突起４の両方を保持することができる。さらに、溝の数を増やして図１２のヘッド１２９や図１３のヘッド１３０の形態を採ると半球形の突起を保持することができるとともに、図２６のような形状で複数の大きさの突起を保持することができる。また、溝の数をさらに増やすこともできる。ヘッド１２７，１２８のように、凹部の開口には、開口の上方から見て、円形、または円形の円周の一部を外側へと拡張した形状であることが好ましい。
【００２５】
ヘッド２０を構成する樹脂としては、ポリエチレン、ポリカプロラクトンといった熱可塑性樹脂が好ましい。本体１０の材料は、これら熱可塑性樹脂でもよく金属であってもよい。また、凹部２１の形状、具体的には一対の凸部２４の間隔が異なる複数種のヘッド２０と１つの本体１０とからなるキットを構成することもできる。こうすると、ピアスキャッチ１のサイズに応じたヘッド２０を採用することによって種々のサイズのピアスキャッチに適用することが可能となる。このような態様によれば、ヘッド２０の取付けおよび取り外しにより、長期の使用によって傷んだヘッド２０を新品に交換することが可能になる。
【００２６】
本発明の別の例のピアス装着補助具１１０は、図１４に示すように、一対の凸部２４、２４’の間隔が異なって凹部２１，２１’の形状が互いに相違する２種類のヘッド２０、２０’が、棒状の本体１０の上端と下端にそれぞれ配置された態様とすることもできる。この態様によれば、本体１０を握る方向を反転させるだけで、使用するヘッド２０、２０’を切り替えられるため便利である。
【００２７】
次に、本発明のピアス装着補助具の別例につき、図１５の断面図を参照しながら説明する。なお、ピアス装着補助具１００と同一の構成部品には同一符号を付し説明を省略する。また、本説明において、ヘッドは図７の形状のものを採用するが、上記いずれのヘッドを採用してもよい。このピアス装着補助具２００は、図１５に示すように、断面Ｔ字型の押出部材１１と、断面くの字型に屈曲した反発部材１２と、断面Ｔ字型のボタン１３とを有している。ヘッド２０には、ヘッド２０における本体１０側の端部から凹部２１に貫通する孔２７が形成されている。本体１０には、内部空間１４ａが形成されている。また、本体１０には、本体１０におけるヘッド２０側の端部から内部空間１４ａに貫通する孔１４ｂと、本体１０における把持部５０から内部空間１４ａに貫通する１４ｃとが形成されている。孔１４ｂは、本体１０におけるヘッド２０が配置された側の端面１５ａの中央に形成されている。孔１４ｃは、本体１０の把持部５０の長手方向における中央付近に形成されている。押出部材１１は孔２７内と孔１４ｂとにわたって配置されており、押出部材１１の肉細部１７が孔１４ｂに挿入されている。内部空間１４ａのヘッド２０側の端部である上端から反対側の端部である下端にわたって、反発部材１２が配置されている。反発部材１２は、樹脂または金属によって構成されていることが望ましい。反発部材１２の下端１６ａは内部空間１４ａの下側の壁面に固定されて、反発部材１２の上端１６ｂは押出部材１１の肉細部１７に接続されている。また、内部空間１４ａには、ボタン１３の大端１３ａが配置されている。ボタン１３の大端１３ａは、反発部材１２の屈曲部分１６ｃに接している。ボタン１３の小端１３ｂは、孔１４ｃを介して外部に突出している。大端１３ａの径は孔１４ｃの径よりも大きく、小端１３ｂの径は孔１４ｃの径よりも小さい。この形状によって、ボタン１３が本体１０の外部に脱落するおそれがなくなると同時にボタン１３を内部空間１４ａの内方に向けて滑らかに押し込むことができる。
【００２８】
図１６は、図１５に示すピアス装着補助具２００における押出部材１１等の動作を説明するための図である。図１６に示すように、ボタン１３を内部空間１４ａの内方に押し込むと、反発部材１２の上端１６ａが孔１４ｂ内に入り込むように反発部材１２が変形する。これに付随して、押出部材１１が本体１０の端面１５ａからヘッド２０の凹部２１の開口２３に向けて移動する。凹部２１内に保持されたピアスキャッチ１は、上記のように移動する押出部材１１の上端面１８によって、凹部２１から押し出される。
【００２９】
凹部２１における一対の凸部２４の間隔（図１Ａにおける間隔Ｗ1）がピアスキャッチ１の突起４の幅（図１Ｂにおける幅Ｗ2）に対して狭すぎると、ピアスキャッチ１の突起４がピアスピン２を挟み込む力よりも凹部２１の一対の凸部２４が押圧によってピアスキャッチ１を凹部２１内に保持しようとする力が大きくなる。凹部２１がこのような形状でかつ図１のように押出部材を有さないピアス装着補助具を用いた場合、体の一部にピアス３１を取り付けた（体の一部を介してピアスピン２とピアスキャッチ１を接続した）後に当該ピアス装着補助具を体の一部から離しても、凹部２１の一対の凸部２４はピアスキャッチ１を保持し続ける。つまり、接続したピアスキャッチ１とピアスピン２が再度外れてしまうので、ピアスピン２へのピアスキャッチ１の取付けができない。しかし、ピアス装着補助具２００によれば、凹部２１からのピアスキャッチ１の脱離を補助でき、こうした不具合の発生を回避できる。このように、本発明のピアス装着補助具は、凹部の底部に孔が形成されており、当該孔内に配置され、所定の操作によってピアスキャッチを凹部の開口に向けて押し上げるように駆動し、凹部からのピアスキャッチの脱離を補助する、押出部材をさらに有することが好ましい。
【００３０】
なお、反発部材１２は、上記のとおり、樹脂または金属で構成され、弾性変形できることが望ましい。これにより、ボタン１３を押し込み、反発部材１２を変形させた後、ボタン１３を離すだけで反発部材１２を変形前の断面くの字型に戻すことができる。換言すると、ボタン１３を押し込んだ後、ボタン１３を離すだけでボタン１３は元の位置に戻る。したがって、凹部２１からのピアスキャッチの脱離を補助する操作を反復して実施することもできる。なお、押出部材１１の上端面１８には、後退部１９が形成されているので、当該脱離補助操作の際にピアスピン２の先端が上端面１８に突き刺さることが防止される。
【００３１】
図１７は、本発明のピアス装着補助具の別例の断面図である。このピアス装着補助具２０１は、ピアス装着補助具１１０と同様に、一対の凸部２４、２４’の間隔Ｗ1、Ｗ1’が異なって（Ｗ1＜Ｗ1’）、凹部２１、２１’の形状が互いに相違する２種類のヘッド２０、２０’が本体１０の上端と下端にそれぞれ配置されている。さらに、ヘッド２０、２０’には、ピアス装着補助具２００と同様のピアスキャッチの脱離を補助するための機構が形成されている。図１７に示すように、ピアス装着補助具２０１では、ピアス装着補助具２００とは異なり、反発部材１２の下端１６ｂが、内部空間１４ａの下側の壁面に固定される代わりに、内部空間１４ａに貫通する孔１４ｄに挿入された押出部材１１’の肉細部１７’に接続されている。ピアス装着補助具２０１のボタン１３を内部空間１４ａの内方に向けて押し込むと、押出部材１１、１１’の肉細部１７、１７’に接続する反発部材１２の上端１６ａ、下端１６ｂがそれぞれ孔１４ｂ、１４ｄ内に入り込むように反発部材１２が変形する。これに付随して、押出部材１１、１１’が対応する凹部２１、２１’の開口２３、２３’に向けて移動する。このような機構を形成することによって、１つのボタン１３を操作するだけで、凹部２１および凹部２１’からのピアスキャッチ１の脱離補助作用が得られる。
【００３２】
図１８は、本発明のピアス装着補助具のまた別例の断面図である。このピアス装着補助具２０２では、図１８に示すように、孔１４ｃが、本体１０におけるヘッド２０が配置された側と反対側の端面１５ｂの中央に形成されている。ボタン１３は、端面１５ｂの孔１４ｃから突出するように内部空間１４ａに配置されている。ボタン１３は断面略十字型である。ボタン１３の内部空間１４ａ側の端部３２ａが押出部材１１の肉細部１７に接続されている。ボタン１３を内部空間１４ａの内方に向けて押し込むと、押出部材１１が本体１０の端面１５ａからヘッド２０の凹部２１の開口２３に向けて移動する。ピアス装着補助具２０２はこのように作用して、ピアスキャッチ１の脱離補助作用を提供する。なお、押出部材１１の肉細部１７によって中心が貫かれた状態で、換言すれば、押出部材１１の肉細部１７の周囲を取り囲むように、コイルバネ状の反発部材１２がボタン１３の端部３２ａと本体１０の端面１５ａとの間に配置されている。ボタン１３の端部３２ａは反発部材１２よりも外径が大きく、反発部材１２の外径は孔１４ａよりも大きい。このため、ボタン１３を内部空間１４ａの内方に向けて押し込むと、反発部材１２が、ボタン１３の端部３２ａによって本体１０の端面１５ａに向けて押し潰されて、縮む。押し込んだボタン１３を離せば、反発部材１２は縮む前の状態に戻るため、押出部材１１を初期位置に簡単に戻せる。
【００３３】
図１９は、本発明のピアス装着補助具のまた別例の断面図である。このピアス装着補助具２０３では、図１９に示すように、本体１０の長手方向におけるヘッド２０が配置された端面１５ａの近傍に孔１４ｃが形成されている。孔１４ｃにおける本体１０の長手方向の大きさはボタン１３における本体１０の長手方向の大きさに比べて大きい。孔１４ｃには、本体１０の長手方向にスライド可能なボタン１３が配置されている。ピアス装着補助具２０３では、押出部材１１が断面Ｔ字型である。押出部材１１の内部空間１４ａ側の端部３３は、ボタン１３の内部空間１４ａ側の端部１３ｃに接続されている。押出部材１１の肉細部１７によって中心が貫かれるように、押出部材１１の内部空間１４ａ側の端部３３と本体１０の端面１５ａとの間に、コイルバネ状の反発部材１２が配置されている。ボタン１３をヘッド２０に向けてスライドさせると、押出部材１１がヘッド２０の凹部２１の開口２３に向けて移動する。ピアス装着補助具２０３はこのように作用して、ピアスキャッチ１の脱離補助作用を提供する。なお、ボタン１３をヘッド２０に向けてスライドさせると、反発部材１２がボタン１３の端部１３ｃによって本体１０の端面１５ａに向けて押し潰されて縮む。スライドさせたボタン１３を離せば、反発部材１２は縮む前の状態に戻るため、押出部材１１を初期位置に簡単に戻すことができる。
【００３４】
図２０は、本発明のピアス装着補助具のまた別例の断面図である。このピアス装着補助具２０４では、図２０に示すように、押出部材１１が断面略Ｉ字型である。押出部材１１の肉細部１７によって中心が貫かれるように、押出部材１１の内部空間１４ａ側の端部３３と本体１０の端面１５ａとの間に、コイルバネ状の反発部材１２が配置されている。本体１０の長手方向におけるヘッド２０が配置された端面１５ａの近傍に孔１４ｃが形成されている。ボタン１３は孔１４ｃから外部に突出している。押出部材１１の内部空間１４ａ側の端部３３の傾斜面３４と、ボタン１３の内部空間１４ａ側の端部３２ａの傾斜面３５とが接触している。ボタン１３を内部空間１４ａの内方に向けて押し込むと、傾斜面３５が傾斜面３４に図示上向き（ヘッド２０が配置されていない端面１５ｂからヘッド２０が配置された端面１５ａへの向き）の力を加えるように作用する。換言すると、ボタン１３を内部空間１４ａの内方に向けて押し込むと、押出部材１１が本体１０の端面１５ａからヘッド２０の凹部２１の開口２３に向けて移動する。ピアス装着補助具２０４はこのように作用して、ピアスキャッチ１の脱離補助作用を提供する。なお、押出部材１１の端部３３は反発部材１２よりも外径が大きく、反発部材１２の外径は孔１４ａよりも大きい。このため、ボタン１３を押し込むと、反発部材１２が端部３３によって本体１０の端面１５ａに向けて押し潰されて、縮む。押し込んだボタン１３を離せば、反発部材１２が縮む前の状態に戻るため、押出部材１１を初期位置に簡単に戻すことができる。
【００３５】
図２１は、本発明のピアス装着補助具のまた別例の断面図である。このピアス装着補助具２０５では、図２１に示すように、ボタン１３がレバー状である。本体１０の長手方向におけるヘッド２０が配置された端面１５ａの近傍に孔１４ｃが形成されている。孔１４ｃでは、直線形状のピン３６ａが、本体１０によって本体１０の長手方向に垂直な方向に固定されている。ピン３６ａはボタン１３を貫通して、ボタン１３を保持している。ボタン１３は、ピン３６ａを軸にして揺動可能である。また、ピン３６ｂは、ボタン１３の内部空間１４ａ側の端部３２ａと押出部材１１の内部空間１４ａ側の端部３３とをピン３６ａと平行な方向に貫通して、端部３２ａと端部３３を接続している。これにより、押出部材１１とボタン１３は、ピン３６ｂを軸にして揺動可能である。上記の構成によって、ボタン１３の外端３２ｂを本体１０に向けて押し込むと、押出部材１１がヘッド２０の凹部２１の開口２３に向けて移動する。ピアス装着補助具２０５はこのように作用して、ピアスキャッチ１の脱離補助作用を提供する。ピアス装着補助具２０５では、反発部材１２がねじりコイルバネ状であり、ボタン１３を本体１０に向けて押し込むと、ピン３６ａを軸にして揺動するボタン１３に押し潰されて、縮む。押しこんだボタンを離せば、反発部材１２が縮む前の状態に戻るため、押し込んだボタン１３を離すだけで、押出部材１１を初期位置に簡単に戻すことができる。
【００３６】
図２２は、本発明のピアス装着補助具のまた別例の断面図である。このピアス装着補助具３００は、押出部材を有しておらず、ピアスキャッチの脱離を補助するための機構がピアス装着補助具２００とは異なる。ピアス装着補助具３００では、図２２に示すように、反発部材１２の上端１６ａが分岐しながらヘッド２０の内部に、より具体的には、２方向に分岐した反発部材１２のそれぞれの上端１６ａが、対応するそれぞれのヘッド２０の一対の凸部２４の近傍にまで延伸している。本体１０の孔１４ｂには、反発部材１２の分岐部分３７を分岐角θ1に窄めた状態で分岐部分３７の基部３８を収納できるように角度が付けられている。図２２では、反発部材１２は孔１４ｂに収納されているものの、反発部材１２には、本体１０の長手方向の中心軸から外向きの反発力が働いている。図２３は、ピアス装着補助具３００においてボタン１３を押し込んだ際の分岐部分３７等の動きを説明するための図である。図２３における反発部材１２の分岐部分３７は反発力によって、その分岐角が図２２に示す角度θ1よりも広がる。このような構成により、ボタン１３を押し込んでいない状態では、本体１０の孔１４ｂによってその分岐角が図２２に示す角度θ1に制限され、凹部２１でのピアスキャッチの保持に十分な押圧力が得られる。他方、ボタン１３を押し込むと、図２３に示すように反発部材１２の上端１６ａの移動に伴って分岐部分３７の分岐角が角度θ2に広がり（θ1＜θ2）、ヘッド２０の一対の凸部２４の間の距離が広がり、ピアスキャッチに対する押圧力が緩まる。このように、反発部材１２の分岐部分３７は、ヘッド２０に埋め込まれ、所定の操作によって凹部２１の側面間の距離を広げるようにヘッド２０を変形させてピアスキャッチに対する押圧力を緩め、凹部２１からのピアスキャッチの脱離を補助するアームとして機能する。
【００３７】
図２４は、本発明のピアス装着補助具の別例の断面図である。このピアス装着補助具３０１は、ピアス装着補助具１１０と同様に、一対の凸部２４、２４’の間隔Ｗ1、Ｗ1’が異なって（Ｗ1＜Ｗ1’）、凹部２１、２１’の形状が互いに相違する２種類のヘッド２０、２０’が本体１０の上端と下端にそれぞれ配置されている。さらに、ヘッド２０、２０’に、ピアス装着補助具３００と同様のピアスキャッチの脱離を補助するための機構が形成されている。ピアス装着補助具３０１では、図２４に示すように、反発部材１２の下端１６ｂが、内部空間１４ａの下側の壁面に固定される代わりに、分岐しながらヘッド２０’の一対の凸部２４’の近傍にまで延伸している。このため、ボタン１３を内部空間１４ａの内方に向けて押し込むと、反発部材１２の上端１６ａおよび下端１６ｂの移動に伴って分岐部分３７、３７’の分岐角が広がる。すなわち、１つのボタン１３を操作するだけで、凹部２１および凹部２１’からのピアスキャッチ１の脱離補助作用が得られる。
【００３８】
図２５は、本発明のピアス装着補助具のまた別例の断面図である。このピアス装着補助具３０２では、本体１０の孔１４ｃが、本体１０の長手方向において端面１５ａの近傍に形成されている。ボタン１３が端面１５ａ近傍から外部に突出するように内部空間１４ａに配置されている。本体１０の孔１４ｂが端面１５ａにおいてボタン１３に近い箇所に形成されている。本体１０の長手方向におけるボタン１３と孔１４ｂの中央付近で、本体１０の長手方向に垂直な方向におけるボタン１３よりも本体１０の中心側に、直線形状のピン３６ｃが、本体１０によって本体１０の長手方向およびボタン１３が突出する方向に垂直な方向に固定されている。ピアス装着補助具３０２では、ボタン１３およびピン３６ｃを介し、ヘッド２０の内部にまで、より具体的にはヘッド２０の凸部２４の近傍にまで延伸している、断面略くの字型のアーム３９を有している。アーム３９は、ピン３６ｃを軸にして揺動可能である。ボタン１３を本体１０に向けて押し込むと、アーム３９が揺動し、アーム３９の上端４０は、ボタン１３が動く方向とは反対の方向に動く。これにより、ヘッド２０の凸部２４の間の距離が広がる。ピアス装着補助具３０２はこのように作用して、ピアスキャッチ１の脱離補助作用を提供する。ヘッド２０は樹脂で構成されており弾性変形するため、押し込んだボタン１３を離すと、ヘッド２０が元の形状に戻ろうとする反発力が作用し、アーム３９およびボタン１３が初期位置に戻る。
【符号の説明】
【００３９】
１      ピアスキャッチ
２      ピアスピン
３      孔
４      突起
５      突起４によって形成される穴
６      盤面
７      机
８ａ    耳たぶ
８ｂ    耳たぶの表側
８ｃ    耳たぶの裏側
９      ピアスの飾り部
１０    本体
１０ａ  キャップ
１１    押出部材
１２    反発部材
１３    ボタン
１３ａ  ボタンの大端
１３ｂ  ボタンの小端
１３ｃ  ボタンの内部空間側の端部
１４ａ  内部空間
１４ｂ、１４ｃ、１４ｄ  孔
１５ａ、１５ｂ  端面
１６ａ  反発部材の上端
１６ｂ  反発部材の下端
１６ｃ  反発部材の屈曲部分
１７    押出部材の突出部
１８    押出部材の上端面
１９    後退部
２０    ヘッド
２０ａ  ヘッドの凸部
２１    凹部
２２    凹部の側面
２３    凹部の開口
２４    凸部
２５    凹部の底部
２６    後退部
２７    凹部に貫通する孔
３０    耳たぶに形成された孔
３１    ピアス
３２ａ  ボタンの内部空間側の端部
３２ｂ  ボタンの内部空間側の端部
３３    押出部材の内部空間側の端部
３４    押出部材の内部空間側の端部の傾斜面
３５    ボタンの内部空間側の端部の傾斜面
３６ａ、３６ｂ、３６ｃ  ピン
３７    反発部材の分岐部分
３８    分岐部分の基部
３９    アーム
４０    アームの上端
【図１】
2010184111.tif 000003
【図２】
2010184111.tif 000004
【図３】
2010184111.tif 000005
【図４】
2010184111.tif 000006
【図５】
2010184111.tif 000007
【図６】
2010184111.tif 000008
【図７】
2010184111.tif 000009
【図８】
2010184111.tif 000010
【図９】
2010184111.tif 000011
【図１０】
2010184111.tif 000012
【図１１】
2010184111.tif 000013
【図１２】
2010184111.tif 000014
【図１３】
2010184111.tif 000015
【図１４】
2010184111.tif 000016
【図１５】
2010184111.tif 000017
【図１６】
2010184111.tif 000018
【図１７】
2010184111.tif 000019
【図１８】
2010184111.tif 000020
【図１９】
2010184111.tif 000021
【図２０】
2010184111.tif 000022
【図２１】
2010184111.tif 000023
【図２２】
2010184111.tif 000024
【図２３】
2010184111.tif 000025
【図２４】
2010184111.tif 000026
【図２５】
2010184111.tif 000027
【図２６】
2010184111.tif 000028
【図２７】
2010184111.tif 000029